(57)【要約】【課題】  靴べらが備わっていない場所で靴を履く場合の困難や不便を解消することでき、また杖としての見た目も損なわれず、歩行時の安全性も十分に確保することができる仕込み杖を提供することを目的とする。【解決手段】  この発明の仕込み杖１は、杖本体３と、その杖本体３の上端に着脱自在に取り付けられた持ち手部２と、その杖本体３の上端から下端に向けて形成された筒状軸部３２に収納される靴べら４と、からなることを特徴としている。【選択図】  図３
2014161404.tif 000002
【特許請求の範囲】
【請求項１】
杖の軸部を筒状にし、その筒状部に靴べらを収納するようにしたことを特徴とする仕込み杖。
【請求項２】
杖本体と、上記杖本体の上端に着脱自在に取り付けられた持ち手部と、上記杖本体の上端から下端に向けて形成された筒状軸部に収納される靴べらとからなることを特徴とする請求項１に記載の仕込み杖。
【発明の詳細な説明】
【技術分野】
【０００１】
この発明は、靴べらを収納できるようにした仕込み杖に関するものである。
【背景技術】
【０００２】
靴べらは、外出するために靴を履く場合や、知人宅等で一旦靴を脱ぎ再度靴を履くなどの場合に必要となる。ところが、靴べらは、必ずしも、常備されているわけではなく、高齢者や足が不自由な人たちにとっては、靴を履くことに困難や不便を覚えることがたびたび発生していた。
【０００３】
一方、高齢者や足が不自由な人たち等にとっっては、外出時の杖は必需品である。
【０００４】
そこで、常に持ち歩く杖に、靴べらの機能を持たせ、上記の靴を履く際の困難や不便を解消しようとした杖が、下記の特許文献１において公知となっている。
【先行技術文献】
【特許文献】
【０００５】
【特許文献１】特開２００１−２８６３８３号公報
【０００６】
しかし、上記特許文献１に開示されている杖では、靴べらが杖の下部に突出して設けられており、杖としての見た目が悪く、また杖を使用して歩く際にその突出部分が、石等の異物に当たり、その衝撃のために、歩行時の姿勢がくずれることもあり、歩行しにくくなるだけでなく、歩行時の安全性にも問題が生じていた。
【発明の概要】
【発明が解決しようとする課題】
【０００７】
この発明は上記に鑑み提案されたもので、靴べらが備わっていない場所で靴を履く場合の困難や不便を解消することでき、また杖としての見た目も損なわれず、歩行時の安全性も十分に確保することができる仕込み杖を提供することを目的とする。
【課題を解決するための手段】
【０００８】
上記目的を達成するために、請求項１に記載の発明は、杖の軸部を筒状にし、その筒状軸部に靴べらを収納するようにした、ことを特徴としている。
また、請求項２に記載の発明は、杖本体と、その杖本体の上端に着脱自在に取り付けられた持ち手部と、その杖本体の上端から下端に向けて形成された筒状軸部に収納される靴べらと、からなることを特徴とする仕込み杖である。
【発明の効果】
【０００９】
この発明では、杖の軸部を筒状にし、その筒状軸部に靴べらを収納するようにしたので、靴べらをいつでも杖から取り出すことができる。したがって、靴べらが備わっていない場所で靴を履く場合の困難や不便を容易に解消することでき、また杖に突出部を設ける必要もないので、杖としての見た目も損なわれず、歩行時の安全性も十分に確保することができる。
【図面の簡単な説明】
【００１０】
【図１】本発明の第１の実施形態の仕込み杖及び靴べらの外観を示す正面図で、図１（ａ）は杖を、図１（ｂ）は靴べらを示している。
【図２】仕込み杖の持ち手部を取り外して杖本体側に靴べらを収納した状態を示す図である。
【図３】仕込み杖に靴べらを収納した状態を示す図である。
【図４】本発明の第２の実施形態の仕込み杖及び靴べらを示す図で、図４（ａ）は仕込み杖の持ち手部を外した状態を示す正面図、図４（ｂ）は靴べらの外観を示す正面図である。
【図５】仕込み杖に靴べらを収納した状態を示す図である。
【発明を実施するための形態】
【００１１】
この発明の第１の実施形態を図１〜図３を用いて詳細に説明する。
図１は本発明の第１の実施形態の仕込み杖及び靴べらの外観を示す正面図で、図１（ａ）は仕込み杖を、図１（ｂ）は靴べらを示している。図２は仕込み杖の持ち手部を外して杖本体側に靴べらを収納した状態を示す図である。図３は仕込み杖に靴べらを収納した状態を示す図である。
【００１２】
仕込み杖１は、図１（ａ）に示すように、持ち手部２と杖本体３とからなり、杖本体３の下端部分３１は、仕込み杖の使用時の衝撃に十分に耐えることができる材質で構成されている。
【００１３】
靴べら４は、図１（ｂ）に示すように、身体を屈めなくとも靴を履けるように細長いタイプのものであり、下端側のかかと受け部４１は足のかかとに合わせて多少幅広く形成されている。
【００１４】
仕込み杖１の杖本体３には、図２に示すように、上端から所定長さにわたって、筒状軸部３２が形成されている。この筒状軸部３２は、正面視で、靴べら４のかかと受け部４１に合わせて幅の広い縦長の長方形形状となり、側面視で、靴べら４の側面視略平坦な形状に合わせて、幅の狭い細長い形状となっており、靴べら４を筒状軸部３２内に収納したとき、靴べら４が筒状軸部３２内で回動することなく安定して収納できるようになっている。杖本体３の外周上部には雄ねじ３３が螺設されている。
【００１５】
仕込み杖１の持ち手部２は、図２に示すように、握り手２１と、下方に向けて開口する凹部２２とを有している。凹部２２の外周下部には、雌ねじ２３が螺設されている。凹部２２の内部上端には、スポンジ等の緩衝材からなる緩衝部２２１が形成され、靴べら４を収納したときに靴べら４の上端部４２が緩衝部２２１に当接して靴べら４が固定され揺動しないようになっている。
【００１６】
上記構成において、靴べら４は、図２に示すように、かかと受け部４１を下方にして杖本体３の筒状軸部３２に収納される。この筒状軸部３２は、平べったい靴べら４の形状に合わせて形成されているため、靴べら４を筒状軸部３２内に収納したとき、靴べら４を筒状軸部３２内で回動することなく安定して収納することができる。
【００１７】
靴べら４の収納後、持ち手部２が上方から杖本体３に装着される。この装着に際しては、持ち手部２の雌ねじ２３を、杖本体３の雄ねじ３３に螺入させて装着させる。この装着時に、靴べら４の上端部４２は、凹部２２の内部に誘導され、上記したように、持ち手部２の凹部２２の緩衝部２２１に当接するため、靴べら４は全体的に筒状軸部３２の内部で固定され揺動しない（図３）。
【００１８】
仕込み杖１から靴べら４を取り出すときには、持ち手部２を回転させて杖本体３から取り外し、杖本体３から突出している靴べら４の上端部４２を手で掴み、抜き出せばよい。
【００１９】
以上述べたように、この発明の第１の実施形態では、仕込み杖１の軸部を筒状にし、その筒状軸部３２に靴べら４を収納するようにしたので、靴べら４をいつでも仕込み杖１から取り出すことができる。したがって、靴べらが備わっていない場所で靴を履く場合の困難や不便を容易に解消することでき、また杖に突出部を設ける必要もないので、杖としての見た目も損なわれず、歩行時の安全性も十分に確保することができる。
【００２０】
次に、この発明の第２の実施形態を図４、図５を用いて説明する。
図４は本発明の第２の実施形態の仕込み杖と靴べらとを示す図で、図４（ａ）は仕込み杖の持ち手部を外した状態を示す正面図、図４（ｂ）は靴べらの外観を示す正面図である。図５は仕込み杖に靴べらを収納した状態を示す図である。
【００２１】
靴べら１４は、図４（ｂ）に示すように、身体を屈めなくとも靴を履けるように細長いタイプのものであり、下端側のかかと受け部１４１と軸部１４３とからなっている。全長は６５ｃｍ〜７０ｃｍ程度である。かかと受け部１４１は足のかかとに合わせて多少幅広く形成され、横幅が２ｃｍ〜２．５ｃｍ程度である。また軸部１４３の横幅は１ｃｍ前後で、厚みは６ｍｍ〜７ｍｍである。軸部１４３からかかと受け部１４１に移行する箇所は、徐々に外径が拡張されて湾曲部１４４が形成されている。
【００２２】
仕込み杖１１は、図４（ａ）に示すように、持ち手部１２と杖本体１３とからなり、杖本体１３の下端部分１３１は、仕込み杖の使用時の衝撃に十分に耐えることができる材質で構成されている。
【００２３】
杖本体１３には、上端から下端に向けて、筒状軸部１３２が形成されている。この筒状軸部３２は、アルミ製の筒であり、外径が２ｃｍで上記の靴べら１４の軸部１４３を収納できるようになっており、筒状軸部３２のうち、下端寄りの部分は外径が１．６ｃｍ程度とさらに細い形状になっている。
【００２４】
杖本体１３の上端側には、外径を拡張させてなる靴べら受け部１３５が形成されている。この靴べら受け部１３５は、全体的にお椀状に膨らんだ形状を有し、下半側は、靴べら１４の湾曲部１４４に対応させて筒状軸部１３２から徐々に外径が拡張されて湾曲し、靴べら１４のかかと受け部１４１を収納できるようになっている。靴べら受け部１３５の上半側外周には、雄ねじ１３３が螺設されている。
【００２５】
仕込み杖１１の持ち手部１２は、握り手１２１と、下方に向けて開口する凹部１２２とを有している。凹部１２２の内部上方は、靴べら１４のかかと受け部１４１の下端形状に対応させて湾曲した形状となっている。凹部１２２の下半側には、雌ねじ１２３が螺設されてる。
【００２６】
上記構成において、靴べら１４の靴べら受け部１３５を手に取り、上端部１４２を下方にして靴べら１４が杖本体１３の筒状軸部１３２に挿入されると、図５に示すように、靴べら１４の湾曲部１４４の下端が、杖本体１３の靴べら受け部１３５の内部下端部分１３６に受け止められ、それ以上挿入されるのがストップされ固定される。このとき、かかと受け部１４１の下半側は杖本体１３の靴べら受け部１３５の内部に収納され、かかと受け部１４１の上半側は杖本体１３から外側に突出した状態となる。
【００２７】
靴べら１４の収納後、持ち手部１２が上方から杖本体１３に装着される。この装着に際しては、持ち手部１２の雌ねじ１２３を、杖本体１３の雄ねじ１３３に螺入させて、持ち手部１２を杖本体１３に装着する。この装着により、靴べら４のかかと受け部１４１の全体は、持ち手部１２の凹部１２２の内部に収納される。
【００２８】
仕込み杖１１から靴べら１４を取り出すときには、持ち手部１２を回転させて杖本体３から取り外し、杖本体１３から突出している靴べら１４のかかと受け部１４１を手で掴み、抜き出せばよい。
【００２９】
以上述べたように、この発明の第２の実施形態では、仕込み杖１１の軸部を筒状にし、その筒状軸部１３２に靴べら１４を収納するようにしたので、靴べら１４をいつでも仕込み杖１１から取り出すことができる。したがって、靴べらが備わっていない場所で靴を履く場合の困難や不便を容易に解消することでき、また杖に突出部を設ける必要もないので、杖としての見た目も損なわれず、歩行時の安全性も十分に確保することができる。
【００３０】
また、靴べら１４を仕込み杖１１に収納したとき、かかと受け部１４１が杖本体１３から突き出るようにしたので、靴べら１４を取り出すときは、かかと受け部１４１を掴めばよく、容易に靴べら１４を取り出すことができる。
【００３１】
また、靴べら４を仕込み杖１１に仕舞うときは、かかと受け部１４１を持って杖本体１３の靴べら受け部１３５から筒状軸部１３２に落とし込めばよいので、靴べら１４を仕舞う作業を極めて簡単に行うことができる。
【００３２】
なお、上記の説明では、仕込み杖１の持ち手部２と杖本体３とをねじ機構で着脱するように構成したが、着脱機構はねじ機構だけによるのではなく、例えば、蝶つがいを用いる機構等、他の機構を採用するようにしてもよい。
【００３３】
また、上記の説明では、靴べら４を細長い形状としたが、この形状に限らず、もっと長さの短い靴べらでもよく、杖本体３の筒状軸部３２は、その靴べらの形状に合わせて形成すればよい。
【符号の説明】
【００３４】
１  仕込み杖
２  持ち手部
２１  握り手
２２  凹部
２２１  緩衝部
２３  雌ねじ
３  杖本体
３１  下端部分
３２  筒状軸部
３３  雄ねじ
４  靴べら
４１  かかと受け部
４２  上端部
１１  仕込み杖
１２  持ち手部
１２１  握り手
１２２  凹部
１３  杖本体
１３１  下端部分
１３２  筒状軸部
１３５  靴べら受け部
１３６  内部下端部分
１４  靴べら
１４１  かかと受け部
１４２  上端部
１４３  軸部
１４４  湾曲部
【図１】
2014161404.tif 000003
【図２】
2014161404.tif 000004
【図３】
2014161404.tif 000005
【図４】
2014161404.tif 000006
【図５】
2014161404.tif 000007
【手続補正書】
【提出日】平成25年5月29日(2013.5.29)
【手続補正１】
【補正対象書類名】明細書
【補正対象項目名】０００８
【補正方法】変更
【補正の内容】
【０００８】
上記目的を達成するために、請求項１に記載の発明は、仕込み杖であって、杖本体と、上記杖本体の上端側に着脱自在に取り付けられた持ち手部と、上記杖本体に収納される靴べらと、からなり、上記靴べらは、細長い軸部と、上記軸部に対して幅広く形成されたかかと受け部と、上記軸部からかかと受け部に移行する箇所に形成された湾曲部と、を有し、上記杖本体は、上端から下端に向けて形成された筒状軸部と、上端側の外径を拡張させて椀状に形成され、上記靴べらの湾曲部に対応する靴べら受け部と、を有し、上記靴べらのかかと受け部を上方にして靴べらが杖本体の筒状軸部に挿入されると、靴べらの湾曲部が、杖本体の靴べら受け部に受け止められた状態となり、靴べらが杖本体に収納される、ことを特徴としている。
【手続補正２】
【補正対象書類名】特許請求の範囲
【補正対象項目名】全文
【補正方法】変更
【補正の内容】
【特許請求の範囲】
【請求項１】
杖本体と、
上記杖本体の上端側に着脱自在に取り付けられた持ち手部と、
上記杖本体に収納される靴べらと、
からなり、
上記靴べらは、
細長い軸部と、
上記軸部に対して幅広く形成されたかかと受け部と、
上記軸部からかかと受け部に移行する箇所に形成された湾曲部と、を有し、
上記杖本体は、
上端から下端に向けて形成された筒状軸部と、
上端側の外径を拡張させて椀状に形成され、上記靴べらの湾曲部に対応する靴べら受け部と、を有し、
上記靴べらのかかと受け部を上方にして靴べらが杖本体の筒状軸部に挿入されると、靴べらの湾曲部が、杖本体の靴べら受け部に受け止められた状態となり、靴べらが杖本体に収納される、
ことを特徴とする仕込み杖。